(57)【特許請求の範囲】
【請求項１】
下部筒体を有し、浴槽の水面付近の水を吸水して水内に浮遊する湯垢を除去する浮遊物除去装置を固定するための、浮遊物除去装置用固定具であって、
既設目皿へ係止して立設する柱状又は筒状の目皿固定具と、
前記目皿固定具から側方へ張り出したアーム部と、
前記アーム部に対応した孔又は切欠きを有する内嵌筒体と
を備え、
前記アーム部は、前記内嵌筒体が孔又は切欠きに挿通固定されるか係止固定され、
前記内嵌筒体は、前記浮遊物除去装置の下部筒体に内嵌されることを特徴とする浮遊物除去装置用固定具。
【請求項２】
目皿固定具は、前記アーム部を挿通するための孔を有し、
前記目皿固定具及び前記内嵌筒体を前記浴槽の底面に載置した後、前記アーム部を前記目皿固定具の孔及び前記内嵌筒体の孔に挿通することで挿通固定されることを特徴とする請求項１に記載の浮遊物除去装置用固定具。
【請求項３】
前記アーム部は、一方の端部に径が細い小径部を有し、
前記内嵌筒体が有する孔のうち、一の孔は前記小径部に対応した内径を有し、
前記アーム部の小径部を前記内嵌筒体の一の孔に挿通することで挿通固定されることを特徴とする請求項１又は請求項２に記載の浮遊物除去装置用固定具。
【請求項４】
前記内嵌筒体の前記切欠きは、前記内嵌筒体の底部から垂直方向に延伸する第１切欠き部と、前記第１切欠き部の端部に連通し、前記第１切欠き部に対して直角方向に延伸する第２切欠き部とで構成され、
前記アーム部を前記内嵌筒体の第１切欠き部の前記端部まで挿通した後、前記アーム部が前記第２切欠き部に挿通されるように前記内嵌筒体を回転させることで、内嵌筒体が係止固定されることを特徴とする請求項１に記載の浮遊物除去装置用固定具。
【請求項５】
前記目皿固定具は、
前記既設目皿に立設される柱状又は筒状の立設体と、
前記立設体に固定され、前記立設体よりも下部側方へ屈折して延出した延出片と、
前記延出片の先部に、取り外し可能に仮固定し得る仮固定ピンとから構成され、
前記延出片の先部を前記既設目皿の網目から挿入して前記既設目皿の下部に係止した状態で、前記既設目皿の上方から前記既設目皿を挟持した状態で仮固定ピンを仮固定することで前記既設目皿へ係止することを特徴とする請求項１乃至請求項４のいずれかに記載の浮遊物除去装置用固定具。
【請求項６】
浴槽の水面付近の水を吸水して水内に浮遊する湯垢を除去する浮遊物除去装置を固定する浮遊物除去装置用固定具であって、
既設目皿へ係止して立設する柱状又は筒状の目皿固定具と、
前記目皿固定具から側方へ張り出したアーム部とを備え、
前記アーム部は、前記浮遊物除去装置の下部筒体に内嵌された内嵌筒体の孔又は切欠きに挿通固定されるか係止固定されることを特徴とする浮遊物除去装置用固定具。
【発明の詳細な説明】
【技術分野】
【０００１】
本発明は、プールや浴槽、貯水池内に満たされた水に浮遊した垢や浮遊物を除去するための浮遊物除去装置を固定する浮遊物除去装置用固定具に関する。
【背景技術】
【０００２】
プールや浴槽、貯水池内に満たされた水には、垢等の浮遊物が生じることから、従来からこの浮遊物を除去することが行われている。このような浮遊物の回収装置として、従来、水面付近に配することにより水面上の浮遊物を吸引するための下向きの吸引口を有する浮遊物吸引手段と、前記吸引口の下側に配されて水面付近にない水が前記吸引口に吸引されないように水面付近の水とその下側の水とを分け隔てるための仕切板と、仕切板が水面下で略水平になるように仕切板に作用する浮力を調整するための浮力調整手段とを備えたものが開示される（例えば、特許文献１参照）。この浮遊物回収装置は、水面下の水の吸引を少量に抑えながらも、水面上の浮遊物を効率的に吸引することができる、とされる。
【先行技術文献】
【特許文献】
【０００３】
【特許文献１】特開２００９−２５４９４０号公報
【発明の開示】
【発明が解決しようとする課題】
【０００４】
しかしながら、上記浮遊物除去装置は、水圧によりプールや浴槽、貯水池の底面に載置する構造となっており、しっかりと底面に固定されていないため横からの力により位置がずれてしまうという問題がある。このため、浮遊物除去装置を固定できる冶具が求められているが、水抜きしてからの固定は煩雑であるため、水を張ったまま固定できる要求があった。
【０００５】
本発明は、かかる事情に鑑みてなされたものであり、浴槽の水面付近の水を吸水して水内に浮遊する湯垢を除去する浮遊物除去装置がずれたり倒れたりすることを抑制して確実に定置することができ、かつ浮遊物除去装置を容易に着脱することが可能な浮遊物除去装置用固定具を提供することを目的とする。
【課題を解決するための手段】
【０００６】
本発明に係る浮遊物除去装置は、浴槽の水面付近の水を吸水して水内に浮遊する湯垢を除去する浮遊物除去装置を固定する浮遊物除去装置用固定具であって、既設目皿へ係止して立設する柱状又は筒状の目皿固定具と、前記目皿固定具から側方へ張り出したアーム部と、前記アーム部に対応した孔又は切欠きを有する内嵌筒体とを備え、前記アーム部は、その先部が孔又は切欠きに挿通固定されるか係止固定され、前記内嵌筒体は、前記浮遊物除去装置の下部筒体に内嵌されることを特徴とする。
【０００７】
上記の構成によれば、既設目皿へ係止して立設する柱状又は筒状の目皿固定具と、目皿固定具から側方へ張り出したアーム部と、アーム部に対応した孔又は切欠きを有する内嵌筒体とを備えており、アーム部の先部が孔又は切欠きに挿通固定されるか係止固定され、内嵌筒体が浮遊物除去装置の下部筒体に内嵌される。このため、浮遊物除去装置がずれたり倒れたりすることを抑制して確実に定置することができる。また、浮遊物除去装置を容易に着脱することができる。このため、清掃も容易となる。
【０００８】
また、本発明に係る浮遊物除去装置の目皿固定具は、前記アーム部を挿通するための孔を有し、前記目皿固定具及び前記内嵌筒体を前記浴槽底面に載置した後、前記アーム部を前記目皿固定具の孔及び前記内嵌筒体の孔に挿通することで挿通固定されることを特徴とする。
【０００９】
上記の構成によれば、目皿固定具及び内嵌筒体を浴槽の底面に載置した後、アーム部を目皿固定具の孔及び内嵌筒体の孔に挿通するだけで内嵌筒体が簡易に、かつ確実に固定されるため、浮遊物除去装置がずれたり倒れたりすることを抑制して確実に定置することができる。また、浮遊物除去装置を容易に着脱することができる。このため、清掃も容易となる。
【００１０】
また、本発明に係る浮遊物除去装置のアーム部は、一方の端部に側に径が細い小径部を有し、内嵌筒体が有する孔のうち、一の孔は小径部に対応した内径を有し、アーム部の小径部を前記内嵌筒体の一の孔に挿通することで挿通固定されることを特徴とする。
【００１１】
上記の構成によれば、アーム部が内嵌筒体の内側面に当接するまで挿通するまでアーム部を押し込むだけで内嵌筒体が簡易に、かつ確実に固定されるため、浮遊物除去装置がずれたり倒れたりすることを抑制して確実に定置することができる。また、浮遊物除去装置を容易に着脱することができる。このため、清掃も容易となる。
【００１２】
また、本発明に係る浮遊物除去装置の前記内嵌筒体の前記切欠きは、前記内嵌筒体の底部から垂直方向に延伸する第１切欠き部と、前記第１切欠き部の端部に連通し、前記第１切欠き部に対して直角方向に延伸する第２第１切欠き部とで構成され、前記アーム部を前記内嵌筒体の第１切欠き部の前記端部まで挿通した後、前記アーム部が前記第２切欠き部に挿通されるように前記内嵌筒体を回転させることで、内嵌筒体が係止固定されることを特徴とする。
【００１３】
上記の構成によれば、アーム部を内嵌筒体の第１切欠き部の端部まで挿通した後、アーム部が第２切欠き部に挿通されるように内嵌筒体を回転させることで、内嵌筒体が簡易に、かつ確実に固定されるため、浮遊物除去装置がずれたり倒れたりすることを抑制して確実に定置することができる。また、浮遊物除去装置を容易に着脱することができる。このため、清掃も容易となる。
【００１４】
また、本発明に係る浮遊物除去装置の前記目皿固定具は、前記既設目皿に立設される柱状又は筒状の立設体と、前記立設体に固定され、前記立設体よりも下部側方へ屈折して延出した延出片と、前記延出片の先部に、取り外し可能に仮固定し得る仮固定ピンとから構成され、前記延出片の先部を前記既設目皿の網目から挿入して前記既設目皿の下部に係止させ、前記既設目皿の上方から前記既設目皿を挟持した状態で仮固定ピンを仮固定することで前記既設目皿へ係止することを特徴とする。
【００１５】
上記の構成によれば、目皿固定具は、既設目皿に立設される柱状又は筒状の立設体と、立設体に固定され、立設体よりも下部側方へ屈折して延出した延出片と、延出片の先部に、取り外し可能に仮固定し得る仮固定ピンとを備えており、延出片の先部を既設目皿の網目から挿入して既設目皿の下部に係止させ、既設目皿Ｄの上方から既設目皿を挟持した状態で仮固定ピンを仮固定することで既設目皿へ係止することで、目皿固定具を容易に、かつ確実に既設目皿に固定することができる。このため、浮遊物除去装置がずれたり倒れたりすることを抑制して確実に定置することができる。また、浮遊物除去装置を容易に着脱することができる。この結果、清掃も容易となる。
【００１６】
また、本発明に係る浮遊物除去装置は、浴槽の水面付近の水を吸水して水内に浮遊する湯垢を除去する浮遊物除去装置を固定する浮遊物除去装置用固定具であって、既設目皿へ係止して立設する柱状又は筒状の目皿固定具と、前記目皿固定具から側方へ張り出したアーム部とを備え、前記アーム部は、その先部が前記浮遊物除去装置の下部筒体に内嵌された前記アーム部に対応した孔又は切欠きを有する内嵌筒体の孔又は切欠きに挿通固定されるか係止固定されることを特徴とする。
【発明の効果】
【００１７】
本発明によれば、浴槽の水面付近の水を吸水して水内に浮遊する湯垢を除去する浮遊物除去装置がずれたり倒れたりすることを抑制して確実に定置することができ、かつ浮遊物除去装置を容易に着脱することが可能な浮遊物除去装置用固定具を提供することができる。
【図面の簡単な説明】
【００１８】
【図１】第１の実施形態に係る浮遊物除去装置用固定具及び浮遊物除去装置の斜視図である。
【図２】第１の実施形態に係る浮遊物除去装置用固定具の分解斜視図である。
【図３】第１の実施形態に係る浮遊物除去装置用固定具の底面側から見た斜視図である。
【図４】第１の実施形態に係る浮遊物除去装置用固定具の断面図である。
【図５】第１の実施形態に係る浮遊物除去装置用固定具の取付工程図である。
【図６】第１の実施形態に係る浮遊物除去装置用固定具への浮遊物除去装置の取付工程図である。
【図７】第２の実施形態に係る浮遊物除去装置用固定具の斜視図である。
【図８】第２の実施形態に係る浮遊物除去装置用固定具の斜視図である（内嵌筒体を除く）。
【図９】第２の実施形態に係る浮遊物除去装置用固定具の断面図である。
【図１０】第２の実施形態に係る浮遊物除去装置用固定具及び浮遊物除去装置の取付工程図である。
【図１１】第３の実施形態に係る浮遊物除去装置用固定具及び浮遊物除去装置の取付工程図である。
【図１２】第４の実施形態に係る浮遊物除去装置用固定具及び浮遊物除去装置の取付工程図である。
【発明を実施するための形態】
【００１９】
以下、本発明の浮遊物除去装置の実施形態について説明する。なお、以下の構成名に続けて記載する英数字列は、実施例として図面を参照して理解するための参照符号であるが、当該英数字列によって概念ないし形態を限定するものでもなく、実施例の構成に限定するものでもない。
【００２０】
（第１の実施形態）
図１は、第１の実施形態に係る浮遊物除去装置用固定具及び浮遊物除去装置の斜視図である。図２は、第１の実施形態に係る浮遊物除去装置用固定具の分解斜視図である。図３は、第１の実施形態に係る浮遊物除去装置用固定具の底面側から見た斜視図である。図４は、第１の実施形態に係る浮遊物除去装置用固定具の断面図である。
【００２１】
（浮遊物除去装置用固定具の構成）
以下、図１〜図４を参照して第１の実施形態に係る浮遊物除去装置用固定具１の構成について説明する。浮遊物除去装置用固定具１は、下部筒体を有し、浴槽の水面付近の水を吸水して水内に浮遊する湯垢を除去する浮遊物除去装置２を固定対象とし、この浮遊物除去装置２を水槽床部の目皿にかぶせて固定するための０、浮遊物除去装置用固定具である。図１に示すように浮遊物除去装置用固定具１は、既設目皿Ｄへ係止して立設する柱状又は筒状（本実施形態では筒状）の目皿固定具１１と、目皿固定具１１から側方へ張り出したアーム部１２と、アーム部１２に対応した孔１３１ａ，１３１ｂを有する内嵌筒体１３とを備えている。
【００２２】
図２に示すように、目皿固定具１１は、アーム部１２を挿通するための２つの孔１１１ｈを有する。また、目皿固定具１１は、既設目皿Ｄに立設される柱状又は筒状の立設体１１１と、立設体１１１に固定され、立設体１１１よりも下部側方へ屈折して延出した延出片１１２と、延出片１１２の先部１１２ｅに、取り外し可能に仮固定し得る仮固定ピン１１３とから構成されている。そして、延出片１１２の先部１１２ｅを既設目皿Ｄの網目から挿入して既設目皿Ｄの下部に係止させ、既設目皿Ｄの上方から既設目皿Ｄを挟持した状態で仮固定ピン１１３を仮固定することで既設目皿Ｄへ係止することで、容易に目皿固定具１１を既設目皿Ｄに固定することができる。
【００２３】
アーム部１２は、内嵌筒体１３を目皿固定具１１に固定するための棒状の固定部材であり、一方の端部に径が細い小径部１２１を有する。また、内嵌筒体１３は、水内に浮遊する湯垢を除去する浮遊物除去装置２を固定するための筒状部材であり、その外径が浮遊物除去装置２の下部筒体に内嵌される大きさとなっている。また、内嵌筒体１３は、アーム部１２を挿通するための２つの孔１３１ａ，１３１ｂを有している。そして、内嵌筒体１３が有する２つの孔１３１ａ，１３１ｂのうち、一方の孔１３１ｂはアーム部１２が有する小径部１２１に対応した内径となっている。
【００２４】
（浮遊物除去装置の構成）
次に、図１を参照して、浮遊物除去装置２の構成を説明する。浮遊物除去装置２は、少なくとも、内部に管孔を有して浴槽内の既設目皿Ｄを覆い、水中に設置されることで外部からの水圧によって浴槽面上に定置される定置部２０と、定置部２０の管孔に下端が遊挿され、内部に管孔を有して上方へ伸長した挿入管３０と、挿入管３０に取り付けられた比重１未満のフロート部４０と、挿入管３０の上部に取り付けられ、浴槽内に満たされた水を挿入管３０の管孔内に吸水する吸水機構５０とを備えている。
【００２５】
浮遊物除去装置２は、水中に定置した定置部２０の上部にて挿入管３０が遊挿状態で浮動し、既設目皿Ｄからの排水／循環水吸引によって、吸水機構から浴槽の水面付近の水を吸水し、水内の湯垢を除去する。
【００２６】
ここでフロート部４０は、挿入管３０の上部に着脱又は交換可能に取り付けられた輪状フロート、挿入管３０の管内に収容された球状フロート、或いは吸水機構の中央上部に部分突出して設けられた中央錐体からなるもの、のいずれかまたはこれら二つ以上の組み合わせによって構成される。
【００２７】
また、吸水機構５０は、挿入管３０の管端に取り付けられた内円錐面を有する枠部と、前記枠部の内円錐面よりも内側に保持された部分円錐形状の中央錐体とを備えている。そそいて、この中央錐体の周面と内円錐面の間に形成される吸水孔口５０ｈから浴槽の水面付近の水を吸水する。
【００２８】
定置部２０は、筒状体の部材からなり浮遊物除去装置２の本体下部を構成する。実施例では、循環式浴槽の底部に設けられた循環水吸引用の既設目皿Ｄの一つを、定置孔２０Ｈで覆うように被せて定置部２０を設置する。ここで定置部２０は、下方へ向かって拡径した拡径部２０Ｄが設けられ、下部が上部よりも大きな断面となるような外形に形成されているため、定置部２０自体の自重と共に水中に設置されて外部から水圧がかかることで既設目皿Ｄから容易にずれることなく水中に定置される。
【００２９】
また、拡径部２０Ｄは頂角９０〜１２０°の部分円錐面で構成され、管軸に対する傾斜角は４５〜６０°である。実施例では拡径部２０Ｄ及び大径管２０Ａが一体成形された異径継ぎ手（レジューサ）と、この異型継ぎ手の細管接続部に接続された短管からなる小径管２０Ｂとによって定置部を構成している。拡径部２０Ｄは傾斜した円錐曲面を有することで、水圧が定置孔２０ｈの中心方向へかかり、設置後に容易に動かないものとなっている。
【００３０】
浮動部２は、上端に吸水機構５０による吸水口孔５０ｈを、下端に挿入管３０による挿入管孔を、そして管外部または内部に比重１未満のフロート（輪状フロート又は球状フロート）を有した管体からなり、定置部２０上部の挿入孔内へ挿脱自在に挿入されることで、浮遊物除去装置の本体上部を構成する。浮動部２はそれ自体の自重とのバランスで吸水口孔５０ｈが浴槽の水面付近となるよう、フロートの取り付け量を調整されている。これによって適度な浮力を受けた浮動部２は、挿入孔内に挿入されたまま、水面の上下動に応じて挿入管３０自体が上下に浮動し、定置部２０への挿入量／定置部２０からの露出量が自動調整される。
【００３１】
（浮遊物除去装置用固定具及び浮遊物除去装置の取付方法）
図５は、第１の実施形態に係る浮遊物除去装置用固定具１の取付工程図である。図６は、第１の実施形態に係る浮遊物除去装置の取付工程図である。以下、図５及び図６を参照して、浮遊物除去装置用固定具１及び浮遊物除去装置２の取付方法について説明する。
【００３２】
初めに、延出片の先部１２１を前記既設目皿Ｄの網目から挿入して既設目皿Ｄの下部に係止させ、既設目皿Ｄの上方から既設目皿Ｄを挟持した状態で仮固定ピン１１３を仮固定することで既設目皿Ｄへ係止する。次に、図５（ａ）に示すように、既設目皿Ｄに固定した目皿固定具１１を囲繞するように内嵌筒体１３を浴槽底面に載置する。
【００３３】
次に、図５（ｂ）に示すように、アーム部１２を目皿固定具１１の孔１１１ｈ及び内嵌筒体１３の２つの孔１３１ａ，１３１ｂに挿通し、内嵌筒体１３を目皿固定具１１に固定する。なお、アーム部１２を内嵌筒体１３の２つの孔１３１ａ，１３１ｂに挿通する際は、アーム部１２の小径部１２１が、内嵌筒体１３が有する孔１３１ｂに挿通されるようにする。
【００３４】
次に、図６（ｃ）に示すように、アーム部１２により目皿固定具１１に固定された内嵌筒体１３に浮遊物除去装置２を被せて内嵌筒体１３を浮遊物除去装置２の下部筒体２０に内嵌させる。
【００３５】
次に、図６（ｄ）に示すように、浴槽内に水を張ることで、傾斜した浮遊物除去装置２の定置部２０の拡径部２０Ｄに下向きの水圧がかかるため浮遊物除去装置２が固定されるとともに、浮遊物除去装置用固定具１により左右方向の動きが規制され、浮遊物除去装置２の位置ズレを効果的に抑制することができる。
【００３６】
（濾過循環システム）
浮遊物除去装置２を含む濾過循環システムは、浮遊物除去装置２と、浴槽又は貯水池内に設けた循環吸水用の既設目皿Ｄと連通し、循環ポンプ及び濾過循環装置を介して浴槽又は貯水池内に設けた循環供給用の既設目皿と連通する循環配管とを備えている。浴槽の底部に２つの循環水吸引用の既設目皿Ｄが設けられ、底部の別の位置に排水用の既設目皿Ｄが設けられ、また側部に循環水供給用の既設目皿Ｄが設けられた循環式浴槽に設置される。
【００３７】
排水用の既設目皿Ｄには排水管ＤＲが外部連通され、循環水吸引用の既設目皿Ｄには循環復路管が外部連通されて、この循環復路管はヘアキャッチャー、ポンプを介して濾過循環装置に連通接続される。濾過循環装置でろ過或いは殺菌した濾過水は、循環水供給用の既設目皿Ｄに外部連通した循環往路管を連通して、浴槽内に循環供給される。
【００３８】
浮動部２の定置部２０からの露出量は、水位によって自動的に調整されることで、浮遊物除去装置からの吸水は常に水面から行うことができる。以上の濾過循環システムの稼働によって、水面に浮遊した湯垢を含む水面付近の水を循環用に吸水することで、湯垢を確実に、かつ容易に取り除くことができる。
【００３９】
以上のように、第１の実施形態に係る浮遊物除去装置１は、浴槽の水面付近の水を吸水して水内に浮遊する湯垢を除去する浮遊物除去装置を固定する浮遊物除去装置用固定具であって、既設目皿Ｄへ係止して立設する柱状又は筒状の目皿固定具１１と、目皿固定具１１から側方へ張り出したアーム部１２と、アーム部１２に対応した孔１３１ａ，１３１ｂを有する内嵌筒体１３とを備えている。そして、アーム部１２は、内嵌筒体１３の孔１３１ａ，１３１ｂに挿通固定され、内嵌筒体１３は、浮遊物除去装置２の下部筒体２０に内嵌されている。
【００４０】
このため、浮遊物除去装置１は、浮遊物除去装置２がずれたり倒れたりすることを抑制して確実に定置することができる。また、浮遊物除去装置２を容易に着脱することができる。このため、清掃も容易となる。
【００４１】
また、浮遊物除去装置１の目皿固定具１１は、アーム部１２を挿通するための孔１１１ｈを有し、目皿固定具１１及び内嵌筒体１３を浴槽底面に載置した後、アーム部１２を目皿固定具１１の孔１１１ｈ及び内嵌筒体１３の孔１３１ａ，１３１ｂに挿通することで挿通固定される。
【００４２】
このため、目皿固定具１１及び内嵌筒体１３を浴槽の底面に載置した後、アーム部１２を目皿固定具１１の孔１１１ｈ及び内嵌筒体１３の孔１３１ａ，１３１ｂに挿通するだけで内嵌筒体１３を簡易に、かつ確実に固定することができる。この結果、浮遊物除去装置２がずれたり倒れたりすることを抑制して確実に定置することができる。また、浮遊物除去装置２を容易に着脱することができる。このため、清掃も容易となる。
【００４３】
また、浮遊物除去装置１のアーム部１２は、一方の端部側に径が細い小径部１２１を有し、内嵌筒体１３が有する２つの孔１３１ａ．１３１ｂのうち、小径部１２１に対応した内径を有する孔１３１ｂに挿通することで内嵌筒体１３が挿通固定される。
【００４４】
このため、アーム部１２が内嵌筒体１３の内側面１３に当接するまでアーム部１２を押し込むだけで内嵌筒体１３を簡易に、かつ確実に固定することができ、浮遊物除去装置２がずれたり倒れたりすることを抑制して確実に定置することができる。また、浮遊物除去装置２を容易に着脱することができる。このため、清掃も容易となる。
【００４５】
また、浮遊物除去装置１の目皿固定具１１は、既設目皿Ｄに立設される柱状又は筒状の立設体１１１と、立設体１１１に固定され、立設体１１１よりも下部側方へ屈折して延出した延出片１１２と、延出片１１２の先部１１２ｅに、取り外し可能に仮固定し得る仮固定ピン１１３とを備えており、延出片の先部１１２を既設目皿Ｄの網目から挿入して既設目皿Ｄの下部に係止させ、既設目皿Ｄの上方から既設目皿Ｄを挟持した状態で仮固定ピン１１３を仮固定することで既設目皿Ｄへ係止することで、目皿固定具１１を容易に、かつ確実に既設目皿Ｄに固定することができる。このため、浮遊物除去装置２がずれたり倒れたりすることを抑制して確実に定置することができる。また、浮遊物除去装置２を容易に着脱することができる。この結果、清掃も容易となる。
【００４６】
（第２の実施形態）
図７は、第２の実施形態に係る浮遊物除去装置用固定具の斜視図である。図８は、第２の実施形態に係る浮遊物除去装置用固定具の斜視図である（内嵌筒体を除く）。図９は、第２の実施形態に係る浮遊物除去装置用固定具の断面図である。
【００４７】
（浮遊物除去装置用固定具の構成）
以下、図７〜図９を参照して第２の実施形態に係る浮遊物除去装置用固定具１の構成について説明する。なお、図１〜図４を参照して説明した構成と同一の構成には、同一の符号を付して重複する説明を省略する。
【００４８】
図７及び図８に示すように、第２の実施形態に係る浮遊物除去装置用固定具１は、既設目皿Ｄへ係止して立設する柱状又は筒状（本実施形態では筒状）の目皿固定具１１と、目皿固定具１１から約１２０度ごとに等間隔で側方へ張り出した３本のアーム部１２と、アーム部１２の直径に対応した幅を有する３つの切欠き１３２が形成された内嵌筒体１３とを備えている。内嵌筒体１３の切欠き１３２は、内嵌筒体１３の底部１３３から垂直方向に延伸する第１切欠き部１３２ａと、第１切欠き部１３２ａの端部１３２ｅに連通し、第１切欠き部１３２ａに対して直角方向に延伸する第２切欠き部１３２ｂとで構成される。なお、アーム部１２は、３本に限られず複数本であればよい。
【００４９】
また、この第２の実施形態では、延出片１１２を目皿固定具１１の立設体１１１に接続固定するための板状の金属板１１４とを備えている。金属板１１４には、金属板１１４の延伸方向に長手方向が平行な２つの長孔１１４ｈを有し、該長孔１１４ｈに延出片１１２が固定される。
【００５０】
（浮遊物除去装置用固定具及び浮遊物除去装置の取付方法）
図１０は、第２の実施形態に係る浮遊物除去装置用固定具１及び浮遊物除去装置２の取付工程図である。以下、図１０を参照して、浮遊物除去装置用固定具１及び浮遊物除去装置２の取付方法について説明する。
【００５１】
初めに、延出片１１２の上部を板状の金属板１１４の長孔１１４ｈに挿通したのち、延出片１１２の先部１１２ｅを既設目皿Ｄの網目から挿入して既設目皿Ｄの下部に係止させる。次に、内嵌筒体１３を上から被せるようにして３本のアーム部１２を内嵌筒体１３の第１切欠き部１３２ａの端部１３２ｅまで挿通した後、アーム部１２が第２切欠き部１３２ｂに挿通されるように内嵌筒体１３を内嵌筒体１３の中心軸を中心として回転させて内嵌筒体１３をアーム部１２に係止固定する。次に、アーム部１２により目皿固定具１１に固定された内嵌筒体１３に浮遊物除去装置２を被せて内嵌筒体１３を浮遊物除去装置２の下部筒体２０に内嵌させる。
【００５２】
以上のように、第２の実施形態に係る浮遊物除去装置１の内嵌筒体１３は、内嵌筒体１３の底部１３３から垂直方向に延伸する第１切欠き部１３２ａと、第１切欠き部１３２ａの端部１３２ｅに連通し、第１切欠き部１３２ａに対して直角方向に延伸する第２切欠き部１３２ｂとで構成され、アーム部１２を内嵌筒体１３の第１切欠き部１３２ａの端部１３２ｅまで挿通した後、アーム部１２が第２切欠き部１３２ｂに挿通されるように内嵌筒体１３を回転させて内嵌筒体１３を係止固定する。このため、内嵌筒体１３を簡易に、かつ確実に固定することができ、浮遊物除去装置２がずれたり倒れたりすることを抑制して確実に定置することができる。また、浮遊物除去装置２を容易に着脱することができる。このため、清掃も容易となる。
【００５３】
（第３の実施形態）
図１１は、第３の実施形態に係る浮遊物除去装置用固定具及び浮遊物除去装置の取付工程図である。以下、図１１を参照して第３の実施形態に係る浮遊物除去装置用固定具１について説明するが、図１〜図１０を参照して説明した構成には同一の符号を付して重複する説明を省略する。
【００５４】
図１１に示す第３の実施形態に係る浮遊物除去装置用固定具１は、内嵌筒体１３を浮遊物除去装置２が備えるように構成されている。図１１に示すように構成しても、第２の実施形態と同様の効果を得ることができる。
【００５５】
（第４の実施形態）
図１２は、第４の実施形態に係る浮遊物除去装置用固定具及び浮遊物除去装置の取付工程図である。以下、図１２を参照して第４の実施形態に係る浮遊物除去装置用固定具１について説明するが、図１〜図１１を参照して説明した構成には同一の符号を付して重複する説明を省略する。
【００５６】
図１２に示すように、第４の実施形態に係る浮遊物除去装置用固定具１は、目皿固定具１１から約９０度ごとに等間隔で側方へ張り出した４本のアーム部１２を備えている。また、嵌筒体１３には、４本のアーム部１２に対応して約９０度ごとに４つの切欠き１３２が形成されており、各切欠き１３２は、内嵌筒体１３の底部１３３から垂直方向に延伸する第１切欠き部１３２ａのみで構成されている。
【００５７】
また、図１２に示すように、第４の実施形態に係る浮遊物除去装置用固定具１は、延出片１１２を一本とし、延出片１１２に貫通孔を設け、４本のアーム部１２のうちの一本を該延出片１１２に設けた貫通孔に挿通させている。また、アーム部１２を挟んで立設体１１１の上下に配置された２枚の金属板１１４により延出片１１２を固定し、２枚の金属板１１４はボルト及びナットにより互いの距離を調整できるように構成されている。
【００５８】
さらに、筒状体１１１には、既設目皿Ｄと金属板１１４との間に筒状ばね１１５（ゴム等の弾性体でも良い）を設け、金属板１１４に常時上向きの力が付勢されるように構成されている。その他の効果は、第２の実施形態と同様である。
【００５９】
（その他の実施形態）
その他本発明は上述した実施例に限定されず、本発明の趣旨を逸脱しない範囲で適宜変更、要素抽出、構成の省略、形状・位置変更、或いは別構成の付加が可能である。例えば、第２の実施形態では、内嵌筒体１３にアーム部１２の直径に対応した幅を有する３つの切欠き１３２が形成されており、各切欠き１３２は、内嵌筒体１３の底部１３３から垂直方向に延伸する第１切欠き部１３２ａと、第１切欠き部１３２ａの端部１３２ｅに連通し、第１切欠き部１３２ａに対して直角方向に延伸する第２切欠き部１３２ｂとで構成されている。しかし、切欠き１３２を窪みとしてもよい。さらに、内嵌筒体１３に切欠き１３２又は切欠き１３２に対応する窪みを設けず、単にアーム部１２が浮遊物除去装置２の下部筒体２０に内嵌される構成としてもよい。
【符号の説明】
【００６０】
１  浮遊物除去装置用固定具
２  浮遊物除去装置
１１  目皿固定具
１１１  立設体
１１１ｈ  孔
１１２  延出片
１１２ｅ  延出片の先部
１１３  仮固定ピン
１１４  金属板
１１５  筒状ばね
１２  アーム部
１２１  小径部
１３  内嵌筒体
１３１ａ、１３１ｂ  孔
１３２  切欠き
１３２ａ  第１切欠き部
１３２ｅ  第１切欠き部の端部
１３２ｂ  第２切欠き部
１３３  底部
Ｄ  既設目皿
【図１】
0006716110.tif 000002
【図２】
0006716110.tif 000003
【図３】
0006716110.tif 000004
【図４】
0006716110.tif 000005
【図５】
0006716110.tif 000006
【図６】
0006716110.tif 000007
【図７】
0006716110.tif 000008
【図８】
0006716110.tif 000009
【図９】
0006716110.tif 000010
【図１０】
0006716110.tif 000011
【図１１】
0006716110.tif 000012
【図１２】
0006716110.tif 000013